(57)【特許請求の範囲】
【請求項１】
（ａ）水溶液中で過酸化水素と反応し、有機過酸を形成する過酸前駆体及び
（ｂ）下記一般式（１）：
【化１】
0004021061.tif 000009
[式中、Ｒ１は、水酸基で置換されていてもよい直鎖又は分岐鎖の炭素数１〜２２のアルキル基、アシル基、アリール基、アルケニル基、アルコキシ基又は炭素数１〜８のアルキル基で置換されていてもよいフェニル基もしくはベンジル基を示し；Ｒ２は、水酸基で置換され、炭素環で中断されていてもよい直鎖又は分岐鎖の炭素数１〜８のアルキレン基を示し；Ｒ３、Ｒ４、Ｒ５は、同一でも異なっていてもよい水素原子、水酸基で置換されていてもよい直鎖もしくは分岐鎖の炭素数１〜１８のアルキル基、アシル基、アリール基、アルケニル基、アルコキシ基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ３、Ｒ４、Ｒ５がアルキレンオキシド基のとき、付加されるアルキレン基は同一でも異なっていてもよく、配列も任意であり；Ｘはハロゲン陰イオン基、アルキル硫酸陰イオン基等の陰イオン性物質を示す。]
で表されるカチオン界面活性剤を含有する水性組成物であり、
前記（ａ）成分の過酸前駆体が、次の一般式（２）：
Ｒ６−Ｃ（＝Ｏ）−Ｌ      （２）
[式中、Ｒ６は、下記一般式（３）：
【化２】
0004021061.tif 000010
（式中、Ｒ７は、水素原子、炭素数１〜１８の直鎖又は分岐鎖のアルキル基、アルケニル基、アシル基を示し；Ｒ８は、炭素数１〜８の直鎖又は分岐鎖のアルキレン基を示し、ｐは０又は１を示し；Ｒ９は、炭素数１〜８の直鎖もしくは分岐鎖のアルキレン基又は炭素数１〜５の直鎖もしくは分岐鎖のアルキル基で置換されていてもよいフェニレン基を示し；Ａは、炭素数１〜４の直鎖又は分岐鎖のアルキレン基を示し；ｎは、アルキレンオキシドの平均付加モル数で、０〜１００の数を示し、ｎ個のＡは同一でも異なっていてもよい）で表される基を示し；Ｌは、下記一般式（４）又は（５）：
【化３】
0004021061.tif 000011
（式中、Ｍは、水素原子、アルカリ金属原子又はアンモニウム基を示す）で表される基を示す。]
で表されるものである水性組成物。
【請求項２】
請求項１記載の水性組成物と、過酸化水素又は過酸化水素放出体を含有する洗浄剤で同時に処理する洗浄方法。
【請求項３】
請求項１記載の水性組成物を汚れ表面に塗布した後、過酸化水素又は過酸化水素放出体を含有する洗浄剤で処理する洗浄方法。
【発明の詳細な説明】
【０００１】
【発明の属する技術分野】
本発明は、水溶液中における過酸前駆体の安定性を高めた水性組成物に関する。また本発明は、優れた漂白性能を発揮し、特にカビの除去方法として好適な洗浄方法に関する。
【０００２】
【従来の技術及び発明が解決しようとする課題】
漂白剤は、衣料の染み汚れ、食べこぼし汚れ、エリ・ソデ汚れ又は油汚れだけでなく、食器や包丁のような調理器具等の小物のような場合には、水溶液と浸漬することにより、その表面に残留した汚れや雑菌を容易に除去することができる。また、漂白剤は浴槽の目路や壁等の湿気の多い場所に発生するカビ汚れに対しても使用が検討されている。しかしながら、カビ汚れは頑固な汚れであるため、通常の過酸化水素を用いる酸素系の漂白剤では十分な効果を得ることができない。これら問題を解決する為に過酸化水素と反応してより強い漂白力を有する過酸前駆体との併用が検討されているが、過酸化水素と同液に過酸前駆体を配合した場合、互いに反応してしまうために安定化が難しい。そこで過酸化水素系と過酸前駆体系を別々の系とし、使用時に混合する方法が提案されている。しかしながら過酸前駆体は、保存により水溶液中で加水分解されるため、実際の使用時には漂白性能が低下してしまう問題がある。
【０００３】
本発明は、水溶液中における過酸前駆体の保存安定性を高めることにより、使用時に漂白成分と配合した場合にも充分な漂白性能を確保することができる水性組成物を提供することを目的とする。また本発明は、過酸化水素又は水溶液中で過酸化水素を生成する化合物（以下「過酸化水素放出体」という）と反応させることにより、優れた漂白洗浄性能を発揮させ、特にカビの除去方法として有用な洗浄方法を提供することを他の目的とする。
【０００４】
【課題を解決するための手段】
本発明は、（ａ）水溶液中で過酸化水素と反応し、有機過酸を形成する過酸前駆体及び
（ｂ）下記一般式（１）：
【０００５】
【化４】
0004021061.tif 000002
【０００６】
[式中、Ｒ1は、水酸基で置換されていてもよい直鎖又は分岐鎖の炭素数１〜２２のアルキル基、アシル基、アリール基、アルケニル基、アルコキシ基又は炭素数１〜８のアルキル基で置換されていてもよいフェニル基もしくはベンジル基を示し；Ｒ2は、水酸基で置換され、炭素環で中断されていてもよい直鎖又は分岐鎖の炭素数１〜８のアルキレン基を示し；Ｒ3、Ｒ4、Ｒ5は、同一でも異なっていてもよい水素原子、水酸基で置換されていてもよい直鎖もしくは分岐鎖の炭素数１〜１８のアルキル基、アシル基、アリール基、アルケニル基、アルコキシ基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ3、Ｒ4、Ｒ5がアルキレンオキシド基のとき、付加されるアルキレン基は同一でも異なっていてもよく、配列も任意であり；Ｘはハロゲン陰イオン基、アルキル硫酸陰イオン基等の陰イオン性物質を示す。]
で表されるカチオン界面活性剤を含有する水性組成物を提供する。
【０００７】
【発明の実施の形態】
本発明で用いる（ａ）成分の過酸前駆体は、水溶液中で過酸化水素と反応し、有機過酸を形成するものであれば特に限定されるものではない。（ａ）成分の過酸前駆体としては、例えば、一般式（２）：
Ｒ6−Ｃ（＝Ｏ）−Ｌ    （２）
[式中、Ｒ6は、直鎖又は分岐鎖のいずれでもよい炭素数４〜１８のアルキル基、アリール基、アルケニル基、アシル基又は下記一般式（３）：
【０００８】
【化５】
0004021061.tif 000003
【０００９】
（式中、Ｒ7は、水素原子、炭素数１〜１８の直鎖又は分岐鎖のアルキル基、アルケニル基、アシル基を示し；Ｒ8は、炭素数１〜８の直鎖又は分岐鎖のアルキレン基を示し、ｐは０又は１を示し；Ｒ9は、炭素数１〜８の直鎖もしくは分岐鎖のアルキレン基又は炭素数１〜５直鎖もしくは分岐鎖のアルキル基で置換されていてもよいフェニレン基を示し；Ａは、炭素数１〜４の直鎖又は分岐鎖のアルキレン基を示し；ｎは、アルキレンオキシドの平均付加モル数で、０〜１００の数を示し、ｎ個のＡは同一でも異なっていてもよい）で表される基を示し；Ｌは、下記一般式（４）、（５）、（６）又は（７）：
【００１０】
【化６】
0004021061.tif 000004
【００１１】
（式中、Ｍは、水素原子、アルカリ金属原子又はアンモニウム基を示し；Ｒ10及びＲ11は、炭素数１〜８の直鎖又は分岐鎖のアルキレン基を示す）
で表される基を示す。]
で表されるものを挙げることができる。
【００１２】
（ａ）成分の過酸前駆体を表す一般式（２）において、Ｒ6とＬとしては、Ｒ6が一般式（３）で表される基及びＬが一般式（４）で表される基、Ｒ6が一般式（３）で表される基及びＬが一般式（５）で表される基、Ｒ6が一般式（３）で表される基及びＬが一般式（６）で表される基又はＲ6が一般式（３）で表される基及びＬが一般式（７）で表される基、の組み合わせであるものが好ましい。これらの中でも、Ｒ6が一般式（３）で表される基で、Ｌが一般式（６）で表される基であるものが特に好ましい。
【００１３】
本発明で用いる（ｂ）成分のカチオン界面活性剤は、下記一般式（１）：
【００１４】
【化７】
0004021061.tif 000005
【００１５】
[式中、Ｒ1は、水酸基で置換されていてもよい直鎖又は分岐鎖の炭素数１〜２２のアルキル基、アシル基、アリール基、アルケニル基、アルコキシ基又は炭素数１〜８のアルキル基で置換されていてもよいフェニル基もしくはベンジル基を示し；Ｒ2は、水酸基で置換され、炭素環で中断されていてもよい直鎖又は分岐鎖の炭素数１〜８のアルキレン基を示し；Ｒ3、Ｒ4、Ｒ5は、同一でも異なっていてもよい水素原子、水酸基で置換されていてもよい直鎖もしくは分岐鎖の炭素数１〜１８のアルキル基、アシル基、アリール基、アルケニル基、アルコキシ基、炭素数１〜８のアルキル基で置換されていてもよいフェニル基、炭素数１〜８のアルキル基で置換されていてもよいベンジル基又は平均付加モル数１〜５０の炭素数１〜４のアルキレンオキシド基を示し、Ｒ3、Ｒ4、Ｒ5がアルキレンオキシド基のとき、付加されるアルキレン基は同一でも異なっていてもよく、配列も任意であり；Ｘはハロゲン陰イオン基、アルキル硫酸陰イオン基等の陰イオン性物質を示す。]で表されるものである。
【００１６】
このような一般式（１）で表されるカチオン界面活性剤としては、Ｎ−ラウロイルアミノプロピル−Ｎ，Ｎ，Ｎ−トリメチルアンモニウムクロリド、Ｎ−オクチルアミノプロピル−Ｎ，Ｎ−ジメチル−Ｎ−ベンジルアンモニウムクロリド、Ｎ−パルミチルアミノプロピル−Ｎ，Ｎ−ジメチル−Ｎ−ヒドロキシエチルアンモニウムクロリド、Ｎ−オクチルアミノプロピル−Ｎ，Ｎ，Ｎ−トリメチルプロピルアンモニウムメチル硫酸塩等を挙げることができる。
【００１７】
水性組成物中における（ａ）及び（ｂ）成分の含有量は、（ａ）成分の安定性を高めるため、水性組成物中において、（ａ）成分が好ましくは０．０１〜６０重量％、特に好ましくは０．１〜４０重量％であり、（ｂ）成分が好ましくは０．０１〜６０重量％、特に好ましくは０．１〜４０重量％である。また、水性組成物において（ａ）及び（ｂ）成分以外の成分を配合する場合、（ａ）及び（ｂ）成分の合計含有量は、好ましくは８０重量％以下であり、特に好ましくは６０重量％以下である。
【００１８】
本発明の水性組成物には、漂白洗浄力を向上させるため、さらに界面活性剤を配合することが好ましい。界面活性剤としては、脂肪酸石鹸、アルキル硫酸塩、アルキルベンゼンスルホン酸塩、ポリオキシエチレンアルキル硫酸エステル塩、スルホコハク酸ジエステル塩、アルキルジフェニルエステルジスルホン酸塩、アルカンスルホン酸塩、アルキルリン酸エステル塩、α−オレフィン硫酸エステル塩、α−オレフィンスルホン酸塩等のアニオン界面活性剤；ポリオキシエチレンアルキルエーテル、ソルビタン脂肪酸エステル、ポリオキシエチレンソルビタン脂肪酸エステル、ポリオキシエチレン脂肪酸エステル、脂肪酸モノグリセリド、アルキルグリコシド、アミンオキシド等のノニオン界面活性剤；モノアルキルトリメチルアンモニウム塩、ジアルキルジメチルアンモニウム塩、トリアルキルメチルアンモニウム塩、テトラアルキルアンモニウム塩、アルキルジメチルベンザルコニウム塩等のカチオン界面活性剤；アルキルジメチルカルボベタイン、アルキルアミドプロピルカルボベタイン、アルキルスルホベタイン、アルキルヒドロキシスルホベタイン、アルキルアミドプロピルスルホベタイン、アルキルアミドプロピルヒドロキシスルホベタイン等の両性界面活性剤等から選ばれる１種又は２種を以上挙げることができる。界面活性剤の配合量は、水性組成物中において、好ましくは０．０１〜３０重量％であり、特に好ましくは０．０５〜２０重量％である。
【００１９】
本発明の水性組成物には、漂白洗浄力及び保存安定性を向上させるため、さらに水溶性溶剤を配合することが好ましい。水溶性溶剤としては、エタノール、プロパノール、プロピレングリコール、プロピレングリコールモノブチルエーテル、プロピレングリコールモノメチルエーテル、ブチルジグリコール、フェノキシエタノール、フェノールにアルキレンオキシドを付加した化合物、Ｎ−アルキルピロリドン、３−メトキシ−３−メチル−１−ブタノール、イソプレングリコール等から選ばれる１種又は２種以上を挙げることができる。水溶性溶剤の配合量は、水性組成物中において、好ましくは０．０１〜４０重量％であり、特に好ましくは０．１〜３０重量％である。
【００２０】
本発明の水性組成物には、ｐＨを調整維持し、過酸前駆体の分解を抑制するため、さらに有機酸を配合することが好ましい。有機酸としては、クエン酸、コハク酸、リンゴ酸、フマル酸、酒石酸、マロン酸等から選ばれる１種又は２種以上を挙げることができる。有機酸の配合量は、水性組成物中において、好ましくは０．０１〜３０重量％である。
【００２１】
本発明の水性組成物には、漂白性能を向上し、過酸前駆体の分解を抑制するため、さらにキレート剤を配合することが好ましい。キレート剤としては、トリポリリン酸、ピロリン酸、オルソリン酸、ヘキサメタリン酸及びそれらのアルカリ金属塩、エチレンジアミン四酢酸、ヒドロキシイミノ二酢酸、ジヒドロキシエチルグリシン、ニトリロ三酢酸、ヒドロキシエチレンジアミン三酢酸、ジエチレントリアミン五酢酸、トリエチレンテトラミン六酢酸及びそれらのアルカリ金属塩又はアルカリ土類金属塩、アミノトリメチレンホスホン酸、１−ヒドロキシエチリデン−１，１−ジホスホン酸、エチレンジアミンテトラメチレンホスホン酸、ジエチレントリアミンペンタメチレンホスホン酸、アミノトリメチレンホスホン酸のＮ−オキシド及びそれらのアルカリ金属塩又はアルカリ土類金属塩、ポリα−ヒドロキシアクリル酸及びそのアルカリ金属塩等から選ばれる１種又は２種以上を挙げることができる。キレート剤の配合量は、水性組成物中において、好ましくは０．０００１〜１０重量％であり、特に好ましくは０．００１〜５重量％である。
【００２２】
本発明の水性組成物には、漂白洗浄力を向上させるために、さらに水溶性高分子を配合することが好ましい。水溶性高分子としては、例えば、特開平８−２０９１９４号公報６頁カラム１０の２０行〜７頁カラム１１の３行に記載のものから選ばれる１種以上を挙げることができ、これらの中でも下記の(i)〜(iv)が好ましい。
【００２３】
(i)グアーガム、ローカストビーンガム、カラギーナン、アルギン酸、アラビアガム、ペクチン等の植物由来の天然高分子；
(ii)キサンタンガム等の微生物由来の天然高分子；
(iii)セルロース、デンプン、セルロース又はデンプンを、酸化、メチル化、カルボキシメチル化、ヒドロキシエチル化、ヒドロキシプロピル化、カチオン化等の処理により加工したセルロース誘導体又はデンプン誘導体；
(iv)ポリアクリル酸ホモポリマー又はアクリル酸と共重合可能なモノマーとのコポリマーであるポリアクリル酸誘導体、前記のポリアクリル酸ホモポリマー又はポリアクリル酸誘導体を架橋したものであり、特に重量平均分子量が２０００程度のもの。
【００２４】
水溶性高分子の配合量は、水性組成物中において、好ましくは０．００１〜１０重量％であり、特に好ましくは０．０１〜５重量％である。
【００２５】
本発明の水性組成物には、さらに本発明の目的を損なわない範囲の他の成分、例えば、香料、抗菌剤、過酸安定剤、ｐＨ調整剤、顔料、染料、懸濁剤を配合することができる。
【００２６】
本発明の水性組成物は、過酸前駆体の分解を抑制するため、保存時におけるｐＨが、好ましくは１〜９であり、特に好ましくは１．５〜８である。
【００２７】
本発明の水性組成物は、過酸化水素及び過酸化水素放出体と混合することによって、過酸を発生させ、汚れを除去ないし漂白洗浄するものである。その使用方法としては、水性組成物と過酸化水素又は過酸化水素放出体を溶解させた洗浄剤に、換気扇の扇やレンジフード、食器、包丁等の硬質の被洗浄物を浸漬させ、しばらく放置した後に水で洗い流す方法以外に、衣料用に使用する場合は、本発明の水性組成物を染みやエリ・ソデ汚れに直接塗布し、過酸化水素又は過酸化水素放出体を含有する洗剤とともに洗濯することで、優れた漂白洗浄効果を得ることができる。その他の被洗浄物に対しても、このような部分汚れに対する洗浄ブースターとして使用することができる。つまり本発明の水性組成物は、水性組成物を汚れ表面に塗布した後、過酸化水素又は過酸化水素放出体を含有する洗浄剤で処理する洗浄方法としての使用が効果的である。また、使用直前に水性組成物と過酸化水素又は過酸化水素放出体を塗布用容器ないしスプレー容器内にて混合し、汚れに対して塗布する方法が挙げられ、この使用方法はカビ取り剤として使用する場合に好適である。
【００２８】
過酸化水素放出体としては、過炭酸ナトリウム、トリポリリン酸ナトリウム・過酸化水素付加物、ピロリン酸ナトリウム・過酸化水素付加物、尿素・過酸化水素付加物、硫酸ナトリウム・過酸化水素付加物、過ホウ酸ナトリウム一水和物、過ホウ酸ナトリウム四水和物、過ケイ酸ナトリウム、過酸化ナトリウム、過酸化カルシウム等を挙げることができる。本発明では、過酸化水素のほか、過炭酸ナトリウム、過ホウ酸ナトリウム一水和物、過ホウ酸ナトリウム四水和物が好ましい。
【００２９】
水性組成物と過酸化水素又は過酸化水素放出体を混合して得られる水性の洗浄剤は、使用時におけるｐＨを７〜１３に調整することが好ましく、８〜１３に調整することが特に好ましく、９〜１３に調整することがさらに好ましい。前記範囲内にｐＨを維持するためのｐＨ調整剤としては、水酸化ナトリウム、水酸化カリウム等のアルカリ金属の水酸化物、水酸化アンモニウム、モノ、ジ又はトリエタノールアミン等のアミン誘導体、炭酸ナトリウム、炭酸カリウム等のアルカリ金属の炭酸塩、炭酸アンモニウム等の炭酸塩、ケイ酸ナトリウム、ケイ酸カリウム等のアルカリ金属のケイ酸塩、ケイ酸アンモニウム等のケイ酸塩等を挙げることができる。
【００３０】
また、トリガースプレー等の吐出容器を用いる場合には、硬質表面に対する付着性を増強し、漂白性能を高めるため、トルエンスルホン酸、キシレンスルホン酸、クメンスルホン酸、アルケニルコハク酸又はそれらのアルカリ金属塩等の起泡助剤から選ばれる１種又は２種以上を配合することが好ましい。起泡助剤は水性組成物に配合することが好ましく、その配合量は、好ましくは０．０１〜２０重量％であり、特に好ましくは０．０５〜１０重量％である。
【００３１】
また、本発明の水性組成物と、過酸化水素又は過酸化水素放出体とを、別の系とし、非接触状態で保っておき、使用時において混合するために、分包された２剤型が好ましい。なお分包に際して、その他の成分は、キレート剤、ｐＨ調整剤、ホウ酸塩等の安定化剤、界面活性剤、起泡助剤及び耐酸化性の香料は過酸化水素を分解させない限り、過酸化水素又は過酸化水素放出体に配合してもよく、過酸化水素を分解するような剤については、水性組成物中のカチオン界面活性剤に影響しないかぎり、水性組成物中に配合される。また過酸化水素水溶液を使用する場合やより洗浄力を向上させるために、アルカリ金属炭酸塩やアルカリ金属珪酸塩等のアルカリ剤を別分包とした３剤型としてもよい。もっとも好ましいものは、水性組成物の分包と過炭酸ナトリウム又は過ホウ酸ナトリウム分包による２剤型が好ましい。
【００３２】
分包の方法は特に限定されるものではなく、ボトルや小袋を適宜組み合わせて包装することができる。ボトルや小袋の材質としては、一般に漂白洗浄剤用の容器に使用されるポリエチレン、ポリプロピレン、ポリアミド、ポリエチレンテレフタレート、ポリ塩化ビニリデン等を挙げることができる。また、これらのプラスチックには、必要に応じて、顔料、帯電防止剤、遮光剤、紫外線吸収剤を配合することができる。ボトルや小袋は多層構造にすることができ、アルミニウム等の金属層を設けることもできる。また、ピンホール、逆止弁や、他の容器に移し替える場合のストロー状の注ぎ手段を設けることもできる。
【００３３】
分包型の過酸化水素又は過酸化水素放出体の配合量は、組成物中において、過酸化水素換算で、好ましくは０．０１〜３０重量％であり、特に好ましくは０．１〜２０重量％である。
【００３４】
【実施例】
製造例１
攪拌、加熱及び冷却手段、温度計、圧力計を備えた容量１リットルのオートクレーブに、Ｎ−ラウロイルアミノプロピル−Ｎ，Ｎ−ジメチルアミン（分子量２８４．２）２８４．２ｇと、イソプロピルアルコール及びイオン交換水をそれぞれ１００ｇ仕込んだ。その後、９０℃まで加熱し、メチルクロリド（分子量５０．５）５０．５ｇを１時間かけて導入し、圧力が一定になった時点で反応を終了させた。冷却後、内容物を取り出し、Ｎ−ラウロイルアミノプロピル−Ｎ，Ｎ，Ｎ−トリメチルアンモニウムクロリド（カチオン活性剤１）を得た。
【００３５】
製造例２〜４
製造例１に準じて、Ｎ−オクチルアミノプロピル−Ｎ，Ｎ，Ｎ−トリメチルアンモニウムクロリド（カチオン活性剤２）、Ｎ−パルミチルアミノプロピル−Ｎ，Ｎ，Ｎ−ジメチル−Ｎ−ヒドロキシエチルアンモニウムクロリド（カチオン活性剤３）及びＮ−オクチルアミノプロピル−Ｎ，Ｎ，Ｎ−トリメチルアンモニウムメチル硫酸塩（カチオン活性剤４）を製造した。
【００３６】
参考例１〜７、実施例１〜２、比較例１〜７
表１に示す組成の水性組成物（水溶液）を製造した。（ａ）成分として、下記の化合物１〜７を用いた。
化合物１：オクタノイルオキシベンゼンスルホン酸ナトリウム
化合物２：ドデカノイルオキシベンゼンスルホン酸ナトリウム
化合物３：ヘキサノイルオキシベンゼンカルボン酸
【００３７】
【化８】
0004021061.tif 000006
【００３８】
なお、各組成物とも硫酸又は炭酸ナトリウムでｐＨを５に調整した。これらの組成物における過酸前駆体の安定性について下記の方法により試験した。結果を表１に示す。なお、表１中の配合量は水を含めた全量に対するもので、重量％表示である。
（過酸前駆体の安定性）
水性組成物を、４０℃の室内に１ヶ月放置した場合の過酸前駆体の残存率を測定した。過酸前駆体の残存率は、水性組成物の酸価及びケン化価の測定によるエステル価により求めた。
【００３９】
【表１】
0004021061.tif 000007
【００４０】
表１から明らかなとおり、（ａ）成分と（ｂ）成分を組み合わせることにより、（ａ）成分の分解が抑制されて安定性が向上された。
【００４１】
参考例８〜１２、実施例３〜４、比較例８
表２に示す成分のうち、（ａ）、（ｂ）、水及びその他成分を分包してＩ剤（本発明の水性組成物に相当する）とし、過酸化水素（３０重量％水溶液）又は過酸化水素放出体（過炭酸ナトリウム）成分とその他成分を分包してII剤とし、さらに一部の実施例については炭酸カリウムを分包してIII剤とした。なお、それぞれの配合比率は、表２に示されたII又はIII剤の量が全部で１００重量％になるような比率で分包し混合した。
これらのＩ剤、II剤及びIII剤を用いた洗浄方法を、下記のとおりに行った。なお、Ｉ剤は密閉ポリプロピレン容器中に充填した状態で４０℃の部屋に１ヶ月放置したものを用いた。結果を表２に示す。なお、表２中の配合量は水を含めた全量に対するもので、重量％表示である。また、ディクエスト２０１０、ディクエスト２０１５ＤＮは、いずれもモンサント社製のホスホン酸系キレート剤である。
【００４２】
（洗浄方法１）
クラスドポリウム・ヘルバルム（Cladosporium herbarum）を接種し、３０℃で１４日間培養したプラスチック板（ＡＢＳ樹脂製）をモデルプレートとして用意した。別々に分包しておいたＩ剤、II剤又はIII剤を使用直前に混合した（混合時のｐＨは１０〜１１）。これらの溶液４０μｌをモデルプレート上に滴下し、１５分放置後、水洗し風乾した。その後、日本電気工業株式会社製の測色計１００１ＤＰを用いて明度（Ｌ値）を測定した。なお、プラスチック板の元々のＬ値は９２．４であり、モデルプレートのＬ値は６５〜７５であった。よって、Ｌ値が高いほど、漂白洗浄性が高い、即ちカビの除去率が高いことを示している。
【００４３】
【表２】
0004021061.tif 000008
【００４４】
表２から明らかなとおり、実施例は、（ａ）成分の分解が抑制されたため、（ａ）成分と過酸化水素又は過酸化水素放出体の作用により、充分な漂白性能が発揮された。比較例８は、実施例に比べると（ａ）成分の分解率が高かったため、（ｃ）成分の配合量に見合うだけの漂白性能が得られなかった。この結果から、本発明の洗浄方法は、高い漂白性能（カビ取り性能）を発揮できることが確認された。
【００４５】
（洗浄方法２）
３日間着用したポリエステル性のワイシャツのエリ部分の汚れに対して部分的に表２に示されたI剤（参考例８〜１２、実施例３〜４に示された組成）を塗布した。これらワイシャツ５枚を市販の粉末洗剤（洗濯液濃度０．６７ｇ／Ｌ）及び過炭酸ナトリウムを５０重量％含有する漂白剤（０．３３ｇ／Ｌ）と伴に一般的な全自動洗濯機の標準コースで洗濯を行なった。比較として、エリ汚れに水性組成物を塗布しない条件での洗濯も行なった。洗濯後、水性組成物（I剤）の使用の有無による洗浄性の違いを調べた。結果は、いずれの組成においても、水性組成物を塗布することにより優れた洗浄力を得られることが見出された。
【００４６】
【発明の効果】
本発明の水性組成物は、（ｂ）成分のカチオン界面活性剤の作用により、（ａ）成分の過酸前駆体の分解が抑制される。このため、さらに漂白成分を配合した硬質体用漂白剤組成物は、（ａ）成分の過酸前駆体の作用が充分に発揮されるため、高い漂白洗浄性能を維持することができる。